(57)【要約】  【課題】品位を損ねることなく、ユーザーにとって自然に感じることができる表示装置を提供すること。  【解決手段】光を透過させる表示パターン（４３〜４８）を有する表示素子であるＬＣＤ５７と、発光素子であるＬＥＤ５２と、該ＬＣＤ５７の背面側に配置され、ＬＥＤ５２からの光をＬＣＤ５７側に反射する複数の反射部５５ｂが形成されたライトガイド５５とが設けられている。  そして、ライトガイド５５は、ＬＣＤ５２のうち特定の表示パターン（４８）以外の表示パターン（４３〜４７）に対応する第１の領域と、特定の表示パターン（４８）に対応する第２の領域とを有し、第２の領域における反射部５５ｅの形成密度が第１の領域のうち該第２の領域に近接する部分の反射部５５ｄの形成密度より高くする  【選択図】  図５
2005292591.tif 000002
【特許請求の範囲】
【請求項１】
光を透過させる表示パターンを有する表示素子と、
発光素子と、
前記表示素子の背面側に配置され、前記発光素子からの光を前記表示素子側に反射する複数の反射部が形成されたライトガイドとを有し、
前記ライトガイドは、前記発光素子のうち特定の表示パターン以外の表示パターンに対応する第１の領域と、前記特定の表示パターンに対応する第２の領域とを有し、前記第２の領域における前記反射部の形成密度が前記第１の領域のうち該第２の領域に近接する部分の前記反射部の形成密度より高いことを特徴とする表示装置。
【請求項２】
前記ライトガイドは、前記発光素子からの光の入射部を有し、かつ前記第１の領域において、前記入射部から離れるに従い前記反射部の形成密度が高くなっていることを特徴とする請求項１に記載の表示装置。
【請求項３】
請求項１又は２に記載の表示装置を備えたことを特徴とする光学機器。
【請求項４】
前記光学機器はカメラであり、
前記表示装置は、該カメラのファインダ内で表示を行うことを特徴とする請求項３に記載のカメラ。
【発明の詳細な説明】
【技術分野】
【０００１】
本発明は、透過型ＬＣＤと照明源とを有する表示装置に関する。
【背景技術】
【０００２】
従来、透過、もしくは半透過型ＬＣＤを暗所においても視認できるよう、バックライトと共に構成された表示装置が広く製品化されている。この表示装置は照明源にＬＥＤを使用し、アクリル製の導光板を介してＬＣＤの全面を照明することで、低コスト・高品位を実現することができ、現在の一般的な手法として用いられている。
【０００３】
具体的にはＬＣＤの背面に導光板を置き、導光板の横からＬＥＤの光を入光させる。この導光板にはＬＣＤと反対側の面にマット処理を施してＬＥＤからの光束をＬＣＤ側に反射する機能を持っている。
【０００４】
しかし、マット面を全面に均一に設けると、ＬＥＤからの距離が近ければ明るく、遠ければ暗くなり、明るさにムラが生じてしまう。これを防ぐために、ＬＥＤの近くはマット面に形成するドット部を疎に、遠くは該ドット部を密とすることでＬＣＤ上での明るさがムラ無く高品位に見えるように工夫している。これらをファインダ表示装置に適応した例を、具体的な構成を図７、図８を用いて説明する。
【０００５】
図７はファインダＬＣＤユニットの構成を示した背面からの展開斜視図である。以下、組立順にファインダＬＣＤユニットの構成を説明する。
【０００６】
７１はファインダＬＣＤホルダである。まず、ファインダＬＥＤ７２を実装したファインダＦＰＣ７３を落とし込み、さらに反射シート７４、ライトガイド７５を落とし込む。ファインダＬＣＤホルダ７１とライトガイド７５で形成される空隙部に異方性導電ゴム７６を挿入する。これらの上にファインダＬＣＤ７７を載設し、押さえ板７８で押さえ込む。この時、異方性導電ゴム７６は圧縮されて導電性を生じ、ファインダＦＰＣ７３とファインダＬＣＤ７７とを電気的に接続する。
【０００７】
そして、不図示のカメラ制御回路によってファインダＬＣＤ７７を駆動するべくファインダＦＰＣ７３に通電するとファインダＬＣＤ７７は所定のマークが点灯、もしくは点滅する。  
【０００８】
同時にカメラ制御回路によってファインダＬＥＤ７２を駆動するべくファインダＦＰＣ７３に通電するとファインダＬＥＤ７２が点灯し、その光はライトガイド７５の端面７５ｃを照明する。端面７５ｃから入光した光は裏面に形成されたマット面によって反射されてファインダＬＣＤ７７側に射出される。また、マット面を透過してしまった光は反射シート７４によって反射されて再度ライトガイド７５の中に戻される。このようにしてファインダＬＣＤ７７のバックライトとして機能する。
【０００９】
図８はライトガイド７５を拡大した背面斜視図である。７５ａは入射部であり、ファインダＬＥＤ７２を覆うように形成され、射出してきた光を漏らさないようにしている。７５ｂはマット面であり、光を照射することが必要なエリアにのみドット部７５ｄの繰り返しによるマット処理が施されている。入射部７５ａから入光した光は拡散してしまうので、入射部７５ａから離れるに従って光密度は小さくなり、反射光の明るさも低くなっていく。しかし、それではファインダ表示の見た目の品位が悪くなってしまう。そこで、それを補正するために入射部７５ａから徐々に離れていくに従ってドット部７５ｄの密度を増してファインダでの見た目の明るさが均一になるようにしている。
【００１０】
また、表示部の輝度を増すために、導光板の光射出面のうち、ＬＣＤ表示文字に対応する部分を残して反射面を設け、文字部以外に向かった光を再利用することで輝度を増す工夫を施されている（特許文献１参照）。
【特許文献１】特開平１１−２８３４２５号公報（段落００１７〜００１９、図１等）
【発明の開示】
【発明が解決しようとする課題】
【００１１】
しかしながら、上記従来例において、マットによる反射面の形成は、マット（ドット）が粗く、表示面積が大きい表示パターンの場合、ドットの粒状感が表示として見えてしまい、品位を損ねてしまう。しかし、該ドットを細かくするためには限界があり、細かくしすぎると導光板の成型管理が難しくなって加工コストが高くなる。
【００１２】
また、文字部以外に反射面を設けて効率を上げる手法も、情報量を増すために表示間隔を狭めていくと、あまり効率をあげることができなくなってしまう。
【００１３】
特に、カメラのファインダ内表示においては、狭いエリアの表示をファインダ接眼光学系によって拡大表示するために、上記のような補正（入射部から徐々に離れていくに従ってドット密度を増やし、ファインダでの見た目の明るさが均一になるようにする補正）をすると、入射部に近いところにレイアウトされている表示面積の大きい表示パターンは、該ドットが透けて見えてしまう課題を有する。
【００１４】
また、表示パターンの機能によってはユーザーに認知させるために他の表示に対して明るく表示される必要がある。
【００１５】
そこで本発明は、品位を損ねることなく、ユーザーにとって自然に感じることができる表示装置を提供することを目的とする。
【課題を解決するための手段】
【００１６】
本発明の表示装置は、光を透過させる表示パターンを有する表示素子と、発光素子と、表示素子の背面側に配置され、発光素子からの光を表示素子側に反射する複数の反射部が形成されたライトガイドとを有する。
【００１７】
そして、ライトガイドは発光素子のうち特定の表示パターン以外の表示パターンに対応する第１の領域と、特定の表示パターンに対応する第２の領域とを有し、第２の領域における反射部の形成密度が第１の領域のうち該第２の領域に近接する部分の反射部の形成密度より高いことを特徴とする。
【発明の効果】
【００１８】
本発明によれば、第２の領域における反射部の形成密度を近接する第１の領域に形成された反射部の形成密度よりも高く構成しているため、第１の領域に対応して設けられる他の表示パターンよりも第２の領域に対応する特定の表示パターンを明るく表示することが可能となる。
【００１９】
さらに、第２の領域における反射部の形成密度が高いことから該特定の表示パターンを通して該反射部が見えることによる不自然さを低減させることが可能となる。よって、品位の高い表示パターンの表示が可能な表示装置を実現する。
【発明を実施するための最良の形態】
【００２０】
以下に本発明の実施例について説明する。
【実施例１】
【００２１】
図１はカメラの背面斜視図、図２は正面斜視図である。１はカメラ、２は背蓋であり、該カメラ本体に対して不図示のヒンジで回転して開閉ができるよう固定されている。３は開放つまみで、該開放つまみ３の操作によって不図示のラッチ機構が開放されて開くように構成されている。４はフイルム確認窓で、カメラ内部に装填されたフイルムの在否が確認でき、装填されているときには、パトローネに記載されているフイルムの情報を読み取ることができる。この状態で撮影フイルムの出し入れが行える。閉じるときは本体側に押し付けることでラッチが掛かり、閉じた状態で固定される。
【００２２】
５は外部表示液晶であり、カメラの撮影設定状態や、撮影可能枚数などを表示する。ここでは全点灯状態を示している。
【００２３】
６はＦＵＮＣマークで、ＦＵＮＣによって設定される機能を表示している。７はＡｖ＋／−ボタンで、マニュアルモード時にはＡｖ＋／−ボタンを押しながら後述の電子ダイアル１５を操作するとカメラの絞り値を変更することができる。マニュアルモード以外のモードが選択されているときには、同じくＡｖ＋／−ボタンを押しながらの電子ダイアル１５の操作によって設定された露出値を補正することができる。さらに、ＳＥＴ機能も併せ持ち、時計合わせを行った際の確定ボタンともなる。
【００２４】
８はＦＵＮＣボタンでカメラの各種機能の設定を行う。一度ＦＵＮＣボタン８を押すと、外部表示液晶５の矢印がＦＵＮＣマーク６の「ＤＡＴＥ」部を指し示し、ＤＡＴＥ機能に関しての設定が行える。ＦＵＮＣボタンを繰り返し押すと、ＤＡＴＥ→ＩＳＯ→赤目→電子音→多重露出→ＡＥＢの順に外部表示液晶５の指し示す矢印が移動して、それぞれの状態で電子ダイアル１５を操作することによって各機能の設定が行える。
【００２５】
９は照明ボタンで、一度押すと外部表示液晶５のバックライトが点灯、タイマーによっても自動消灯するが、点灯中に再度押すことで強制的に消灯することができる。１０はフイルム途中巻き戻しボタンで、装填されたフイルムを途中で取り出す際に巻き戻しを開始するためのボタンである。１１は部分測光・ＡＥロックボタンであり、このボタンを押すと、その時に部分測光したＡＥ値に所定時間固定される。
【００２６】
１３はドライブボタンで、押すたびに給送モードが”一枚撮影”→”連続撮影”→”セルフタイマ・ワイヤレスリモコン”の順に切り替わる。１４はモードダイアルであり、カメラの電源がオフする”ＯＦＦ”のポジションを境に時計回り回転させると被写体の種類を選択することでカメラが最適な露出を決定するイメージゾーンに、反時計回りに回転させると使用者が思い通りの露出決定を行えるクリエイティブゾーンとなる。ダイアル１４上に描かれたアイコンを回転させてモードダイアル指標２１に合わせることで、撮影時のカメラの動作モードが決定される。
【００２７】
１５は電子ダイアルであり、上記でも説明したように、各種設定時にこれを用いてパラメータを変化させる。１６は二段階のストロークを持つレリーズボタンであり、一段階目のクリック（以下ＳＷ１と称する）でＡＦ／ＡＥを確定し、二段階目のクリック（以下ＳＷ２と称する）にてミラーアップ、シャッタ作動（露光）、ミラーダウン、フイルム給送という一連の撮影動作が行われる。
【００２８】
１７はファインダで、ここを覗くことで撮影画像の確認が行える。１８は視度調整つまみであり、使用者毎の視力に応じて視度を切り替えることができる。１９は内蔵ストロボであり、状況に応じてカメラ、もしくは使用者が必要に応じてアップさせストロボを発光する。２０はアクセサリシューであり、外付けストロボのようなアクセサリを取り付けるためのインターフェイスである。２１はモードダイアル指標であり、モードダイアル１４の選択されているアイコンを指し示す。
【００２９】
２２はストロボ発光部であり、ストロボポップアップ時には被写体に向いてストロボ光を射出し光量不足を補う。２３は赤目緩和ランプ窓であり、赤目緩和モードでストロボを発光するときには撮影動作直前に所定時間点灯し、被写体となる人物の瞳孔縮小を促し、赤目現象の発生を緩和する。
【００３０】
２４はワイヤレスリモコン受光窓であり、ワイヤレスリモコンモード時にワイヤレスリモコンからの信号を受光する窓である。また、ワイヤレスリモコン受光窓２４は同時にセルフタイマ作動ランプの投光窓も兼ねており、セルフタイマ作動時に点滅して、その動作を被写体となる人物に告知する。２５はマウントインターフェースで、不図示のレンズがここに突き当てられ、バヨネット構造によって取り付けられる。
２６はマウントロック解除ボタン、２７はマウントロックピンで、不図示のレンズを取り外す際には、マウントロック解除ボタン２６を押すと、連動してマウントロックピン２７と不図示のレンズとの係合が外れ、不図示のレンズは回転可能となってバヨネットから外れることが可能となる。
【００３１】
２８はストロボアップボタンで、撮影モードがクリエイティブゾーンにあるときには、このボタンを押すと自動的に内蔵ストロボ２２がポップアップし、撮影時に発光する。２９は被写界深度確認ボタンで、このボタンを押すと、撮影待機状態のレンズの絞りが、そのときに設定されている絞りに絞り込まれ、撮影した時の合焦状態を確認することができる。
【００３２】
３０はワイヤードリモコンジャックであり、不図示のワイヤードリモコンのプラグをここに差し込むことでワイヤードリモコンによるＳＷ１／ＳＷ２の操作が可能となる。３１は三脚穴であり、三脚についた三脚ねじをここにねじ込むことで、カメラと三脚が一体に固定される。３２は電池蓋、３３は電池蓋開放レバーであり、電池蓋開放レバー３２を操作すると電池蓋３２が開放されて、電池の挿抜が可能となる。
【００３３】
次に、ファインダ１７について詳細に説明する。図３はカメラ１のファインダ１７内を表したものである。
【００３４】
４１はファインダ視野枠であり、カメラ１が撮影できる範囲を指し示す。４２ａ−１〜４２ａ−７は測距枠であり、ＡＦ動作を行うことができるエリアを指し示している。４２ｂ−１〜４２ｂ−７はスーパーインポーズ（以下ＳＩ）表示点であり、測距枠４２ａ−１〜４２ａ−７の中からカメラが所定のアルゴリズムに基づいて選択した測距点、もしくはユーザーが任意に選択したから選択した測距枠を指し示すための指標である。通常は黒い点として見えているが、選択された測距点を表示する際にはＬＥＤによって照明されて赤く光る。
【００３５】
４３〜４８は複数の表示パターンが設けられたファインダ内表示ＬＣＤ（表示素子）であり、便宜上全点灯状態で示している。４３はＡＥロック／ＦＥロックマークであり、ＡＥロックもしくはＦＥロックをしているときに点灯する。４４はストロボマークであり、ストロボの状態を表示する。４５はハイスピードシンクロマークで、所定のシャッタ速度よりも早いシャッタ速度でのストロボ撮影を行うときに表示される。
【００３６】
４６−１はシャッタ速度表示マーク、４６−２は絞り表示マーク、４７−１は露出レベル表示指標、４７−２は露出レベル表示目盛りであり、これらによって露出レベルに関する情報を表示したり、赤目ランプ作動中には露出レベル表示指標４７−１によって赤目ランプが作動中である旨の表示を行う。４８は合焦マークであり、合焦すると点灯、合焦ができないときには点滅する。
【００３７】
続いて、ファインダＬＣＤユニットの構成を図４〜図６に基づいて説明する。なお、本実施例では組立順にファインダＬＣＤユニットの構成を説明する。
【００３８】
５１はファインダＬＣＤホルダである。まず、発光素子であるファインダＬＥＤ５２を実装したファインダＦＰＣ５３を落とし込み、さらに反射シート５４、ライトガイド５５を落とし込む。ファインダＬＣＤホルダ５１とライトガイド５５で作られる空隙部に異方性導電ゴム５６を挿入する。これらの上にファインダＬＣＤ５７をのせて押さえ板５８で押さえ込む。この時異方性導電ゴム５６は圧縮されて導電性を生じ、ファインダＦＰＣ５３とファインダＬＣＤ５７とを電気的に接続する。
【００３９】
また、ライトガイド５５は、ファインダＬＥＤ５２を覆うように形成された入射部５５ａが設けられ、ファインダＬＥＤ５２からの光を漏らさないようにしている。さらに、ライトガイドの第１の領域には、入射部５５ａから入光してくる光を反射する反射部を構成マット面５５ｂが設けられ、光を照射することが必要なエリアにのみドット５５ｄの繰り返しによるマット処理が施されている。入射部５５ａから入光した光は拡散してしまうので、入射部５５ａから離れるに従って光密度は小さくなり、反射光の明るさも低くなっていく。そこで、入射部５５ａから徐々に離れていくに従ってドット部５５ｄの密度を増してファインダでの見た目の明るさが均一になるように構成している。
【００４０】
そして、ライトガイド５５には、合焦マーク４８の裏側に位置するマット面５５ｂのエリアにおいて、第１の領域に形成されたドット部５５ｄよりも形成密度の高いドット部５５ｅによるマット処理が施された第２の領域、すなわち、合焦マーク４８等の特定の表示パターンに対応し、かつ近接又は周囲に形成された第１の領域の反射部のドット部５５ｄよりも形成密度の高い第２の領域が設けられている。
【００４１】
このように構成されたファインダＬＣＤユニットは、不図示のカメラ制御回路によってファインダＬＣＤ５７を駆動するべくファインダＦＰＣ５３に通電するとファインダＬＣＤ５７は所定のマークが点灯、もしくは点滅する。同時にカメラ制御回路によってファインダＬＥＤ５２を駆動するべくファインダＦＰＣ５３に通電するとファインダＬＥＤ５２が点灯し、その光はライトガイド５５の入射部５５ａの端面５５ｃを照明する。端面５５ｃから入光した光は裏面に形成されたマット面５５ｂによって反射されてファインダＬＣＤ５７側に射出される。また、マット面５５ｂを透過してしまった光は反射シート５４によって反射されて再度ライトガイド５５の中に戻される。このようにしてファインダＬＣＤ５７のバックライトとして機能する。
【００４２】
本実施例によれば、ライトガイド５５に光をファインダＬＣＤ５７側（表示素子側）に反射する反射部であるマット面５５ｂには、特定の表示パターン以外の表示パターンに対応する第１の領域と、該特定の表示パターンに対応する第２の領域とが設けられ、第２の領域における反射部（ドット部５５ｅ）の形成密度が第１の領域に施されたドット部５５ｄのドット密度（形成密度）よりも高く構成されている。
【００４３】
よって、第１の領域に対応して設けられる他の表示パターンよりも第２の領域に対応する特定の表示パターンを明るく表示することができるとともに、第２の領域における反射部の形成密度が高いことから該特定の表示パターンを通して該反射部が見えることによる不自然さを低減させることが可能となる。
【００４４】
したがって、拡大して観察する広い面積を用いた表示、例えば、合焦マーク４８であってもドットの粒子は気にならず、かつ、ユーザーが合焦した瞬間にレリーズ動作を行うために、瞬間的に他の表示に対して明るく表示して注意（認知）を促すことができる。
【００４５】
以上、本実施例では、カメラのファインダ表示に適応しているが、同様の構成はカメラの外部表示に対しても適応でき、さらには、その他のバックライト付きＬＣＤ表示を用いた電子光学機器に対しても適応できる。
【００４６】
さらに、照明装置としてＬＥＤを用いているが、これは電球や蛍光管などを用いても構成可能であり、照明機構を限定するものではない。
【００４７】
また、本実施例は、デジタルカメラにも適用することができる。例えば、フィルムでの撮影の代わりに、カメラ１内にＣＣＤ、Ｃ-ＭＯＳセンサ等の撮像素子が設けられて、撮影光学系によって形成された光学像を電気信号に光電変換し、該撮像素子から読み出された電気信号をカメラ１内に設けられた画像処理回路によって映像信号に変換して表示ユニット等に表示させたり、映像信号が記憶されるメモリの容量等から撮影可能枚数を判断し、表示ユニットに撮影可能枚数を表示させるなどの構成を採用することにより適用可能である。
【図面の簡単な説明】
【００４８】
【図１】本発明に係る実施例１におけるカメラの背面斜視図である。
【図２】本発明に係る実施例１におけるカメラの前面斜視図である。
【図３】本発明に係る実施例１におけるファインダ内表示を示す図である。
【図４】本発明に係る実施例１におけるファインダＬＣＤユニットの構成を示した展開斜視図（正面視）である。
【図５】本発明に係る実施例１におけるファインダＬＣＤユニットの構成を示した展開斜視図（背面視）である。
【図６】本発明に係る実施例１におけるライトガイドを拡大した背面斜視図である。
【図７】従来例におけるファインダＬＣＤユニットの構成を示した展開斜視図（背面視）である。
【図８】従来例におけるライトガイドを拡大した背面斜視図である。
【符号の説明】
【００４９】
１          カメラ
５２        ファインダＬＥＤ（発光素子）
５５        ライトガイド
５５ａ      入射部
５５ｂ      反射部
５７        ファインダＬＣＤ（表示素子）
【図１】
2005292591.tif 000003
【図２】
2005292591.tif 000004
【図３】
2005292591.tif 000005
【図４】
2005292591.tif 000006
【図５】
2005292591.tif 000007
【図６】
2005292591.tif 000008
【図７】
2005292591.tif 000009
【図８】
2005292591.tif 000010